(57)【要約】【課題】使用状況に応じて適切な画像を表示する電子機器を提供すること。【解決手段】表示更新部４９２は、メモリ４４に記憶された複数の画像データの各々に基づく画像を表示部２１に順次表示させる。制御部４９４は、表示更新部４９２により複数の画像データのうち一の画像データに基づく画像を表示部２１に表示させている際に、生体認証部４９１により生体認証が行われた場合、一の画像データに基づく画像の表示態様を設定部４９３により設定された表示態様に変更する。【選択図】図２
2011114611.tif 000002
【特許請求の範囲】
【請求項１】
画像を表示する表示部と、
複数の画像データを記憶する記憶部と、
生体認証を行う生体認証部と、
前記記憶部に記憶された前記複数の画像データの各々に基づく画像を前記表示部に順次表示させる表示更新部と、
各画像データに基づく画像の表示態様を設定する設定部と、
前記表示更新部により前記複数の画像データのうち一の画像データに基づく画像を前記表示部に表示させている際に、前記生体認証部により生体認証が行われた場合、前記一の画像データに基づく画像の表示態様を前記設定部により設定された前記表示態様に変更する制御部とを備えることを特徴とする電子機器。
【請求項２】
前記表示更新部により前記一の画像データに基づく画像を前記表示部に表示させている際に、所定期間内に前記生体認証部による生体認証が行われた回数をカウントするカウント部を備え、
前記設定部は、前記表示態様の設定として、前記表示部に表示されている前記一の画像データの属性を前記カウント部によりカウントされた回数に応じた属性に設定することを特徴とする請求項１に記載の電子機器。
【請求項３】
前記制御部は、前記表示更新部により前記一の画像データに基づく画像を前記表示部に表示させている際に、前記生体認証部により生体認証が行われた場合、前記表示態様の変更として、前記一の画像データに基づく画像を前記設定部により設定された属性が前記カウント部によりカウントされた回数に応じた属性となっている他の画像データに基づく画像に、前記表示更新部により切り替えさせることを特徴とする請求項２に記載の電子機器。
【請求項４】
前記制御部は、前記表示更新部により前記一の画像データに基づく画像を前記表示部に表示させている際に、前記生体認証部により生体認証が行われた場合、前記表示態様の変更として、前記一の画像データに基づく画像と共に、当該一の画像データに付加された付加情報を前記表示更新部により前記表示部に表示させることを特徴とする請求項１から３のいずれか一項に記載の電子機器。
【請求項５】
画像を表示する表示部と、
複数の画像データを記憶する記憶部と、
生体認証を行う生体認証部と、
前記記憶部に記憶された前記複数の画像データのうち一の画像データを選択して、当該一の画像データに基づく画像を初期画面として前記表示部に表示させる表示更新部と、
前記複数の画像データそれぞれの属性を設定する設定部と、
前記表示更新部により前記初期画面として前記一の画像データに基づく画像を前記表示部に表示している際に、前記生体認証部により生体認証が行われた場合、前記表示更新部により前記一の画像データに基づく画像を前記設定部により前記一の画像データとは異なる属性に設定された他の画像データに基づく画像に切り替える制御部を備えることを特徴とする電子機器。
【請求項６】
前記設定部は、前記複数の画像データそれぞれの属性を前記生体認証部による生体認証を用いて予め設定することを特徴とする請求項５に記載の電子機器。
【請求項７】
前記制御部は、前記一の画像データに基づく画像を前記他の画像データに基づく画像に切り替えた後に、前記生体認証部により生体認証が行われた場合、前記他の画像データに基づく画像を前記一の画像データに基づく画像に切り替えることを特徴とする請求項５又は６に記載の電子機器。
【請求項８】
操作部を備え、
前記制御部は、前記表示更新部により前記初期画面として前記一の画像データに基づく画像を前記表示部に表示している際に、前記生体認証部により生体認証が行われると共に、前記操作部により所定の操作が行われた場合、前記一の画像データに基づく画像を前記他の画像データに基づく画像に切り替えることを特徴とする請求項５から７のいずれか一項に記載の電子機器。
【発明の詳細な説明】
【技術分野】
【０００１】
本発明は、複数の画像を表示する電子機器に関する。
【背景技術】
【０００２】
従来より、表示部を備える電子機器において、表示部に複数の画像を連続して順次表示する機能（例えば、フォトビューア機能）を実行するものがある（例えば、特許文献１参照）。特許文献１には、デジタルカメラで撮影して得られた画像データを暗号化して、フォトビューア機能を実行するフォトビューアストレージに送ることができるシステムが提案されている。
【先行技術文献】
【特許文献】
【０００３】
【特許文献１】特開２００７−２７８１４号公報
【発明の概要】
【発明が解決しようとする課題】
【０００４】
ここで、表示部に表示される複数の画像の中には、使用状況によっては他人に見られたくない画像が含まれる（例えば、一部の画像が秘匿性を有する）場合がある。このため、複数の画像を表示する電子機器において、ユーザの使用状況に応じて適切な画像を表示することが要請されている。
【０００５】
本発明は、使用状況に応じて適切な画像を表示する電子機器を提供することを目的とする。
【課題を解決するための手段】
【０００６】
本発明に係る電子機器は、上記課題を解決するために、画像を表示する表示部と、複数の画像データを記憶する記憶部と、生体認証を行う生体認証部と、前記記憶部に記憶された前記複数の画像データの各々に基づく画像を前記表示部に順次表示させる表示更新部と、各画像データに基づく画像の表示態様を設定する設定部と、前記表示更新部により前記複数の画像データのうち一の画像データに基づく画像を前記表示部に表示させている際に、前記生体認証部により生体認証が行われた場合、前記一の画像データに基づく画像の表示態様を前記設定部により設定された前記表示態様に変更する制御部とを備えることを特徴とする。
【０００７】
また、前記電子機器は、前記表示更新部により前記一の画像データに基づく画像を前記表示部に表示させている際に、所定期間内に前記生体認証部による生体認証が行われた回数をカウントするカウント部を備え、前記設定部は、前記表示態様の設定として、前記表示部に表示されている前記一の画像データの属性を前記カウント部によりカウントされた回数に応じた属性に設定することが好ましい。
【０００８】
また、前記制御部は、前記表示更新部により前記一の画像データに基づく画像を前記表示部に表示させている際に、前記生体認証部により生体認証が行われた場合、前記表示態様の変更として、前記一の画像データに基づく画像を前記設定部により設定された属性が前記カウント部によりカウントされた回数に応じた属性となっている他の画像データに基づく画像に、前記表示更新部により切り替えさせることが好ましい。
【０００９】
また、前記制御部は、前記表示更新部により前記一の画像データに基づく画像を前記表示部に表示させている際に、前記生体認証部により生体認証が行われた場合、前記表示態様の変更として、前記一の画像データに基づく画像と共に、当該一の画像データに付加された付加情報を前記表示更新部により前記表示部に表示させることが好ましい。
【００１０】
本発明に係る電子機器は、上記課題を解決するために、画像を表示する表示部と、複数の画像データを記憶する記憶部と、生体認証を行う生体認証部と、前記記憶部に記憶された前記複数の画像データのうち一の画像データを選択して、当該一の画像データに基づく画像を初期画面として前記表示部に表示させる表示更新部と、前記複数の画像データそれぞれの属性を設定する設定部と、前記表示更新部により前記初期画面として前記一の画像データに基づく画像を前記表示部に表示している際に、前記生体認証部により生体認証が行われた場合、前記表示更新部により前記一の画像データに基づく画像を前記設定部により前記一の画像データとは異なる属性に設定された他の画像データに基づく画像に切り替える制御部を備えることを特徴とする。
【００１１】
また、前記設定部は、前記複数の画像データそれぞれの属性を前記生体認証部による生体認証を用いて予め設定することが好ましい。
【００１２】
また、前記制御部は、前記一の画像データに基づく画像を前記他の画像データに基づく画像に切り替えた後に、前記生体認証部により生体認証が行われた場合、前記他の画像データに基づく画像を前記一の画像データに基づく画像に切り替えることが好ましい。
【００１３】
また、前記電子機器は、操作部を備え、前記制御部は、前記表示更新部により前記初期画面として前記一の画像データに基づく画像を前記表示部に表示している際に、前記生体認証部により生体認証が行われると共に、前記操作部により所定の操作が行われた場合、前記一の画像データに基づく画像を前記他の画像データに基づく画像に切り替えることが好ましい。
【発明の効果】
【００１４】
本発明によれば、使用状況に応じて適切な画像を表示する電子機器を提供することができる。
【図面の簡単な説明】
【００１５】
【図１】本発明に係る電子機器の一例である携帯電話機の外観斜視図である。
【図２】第１実施形態の携帯電話機の機能を示す機能ブロック図である。
【図３】設定部による表示態様の設定の具体例について示す図である。
【図４】表示部に表示される画像における表示態様の変更の具体例について示す図である。
【図５】表示部に表示される画像における表示態様の変更の具体例について示す図である。
【図６】画像データの属性を分類する画像分類処理について示すフローチャートである。
【図７】画像データを再生する画像再生処理について示すフローチャートである。
【図８】付加情報が付加された画像データを再生する画像再生処理について示すフローチャートである。
【図９】待ち受け画面の画像を切り替える処理の具体例について示す図である。
【図１０】生体認証と共に、操作部による操作を用いて、待ち受け画面の画像を切り替える処理の具体例について示す図である。
【図１１】第２実施形態の携帯電話機による画像再生処理について説明するフローチャートである。
【図１２】第２実施形態の携帯電話機による画像再生処理について説明するフローチャートである。
【発明を実施するための形態】
【００１６】
＜第１実施形態＞
以下、本発明の第１実施形態について説明する。図１は、本発明に係る電子機器の一例である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でもよい。
【００１７】
携帯電話機１は、操作部側筐体２と、表示部側筐体３とを備える。操作部側筐体２は、表面部に、操作部１１と、携帯電話機１の使用者が通話時に発した音声が入力されるマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、機能設定操作キー１３、入力操作キー１４及び決定操作キー１５は、表示部２１と一体に形成されたタッチパネル上に配置するように構成してもよい。
【００１８】
また、表示部側筐体３は、表面部に、各種情報を表示するための表示部２１と、通話の相手側の音声を出力するスピーカ２２とを備える。
【００１９】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２０】
図２は、第１実施形態の携帯電話機１の機能を示す機能ブロック図である。第１実施形態の携帯電話機１は、図２に示すように、操作部１１と、マイク１２と、表示部２１と、スピーカ２２と、ドライバＩＣ２３と、通信部４２と、表示制御部４３と、メモリ４４と、指紋センサ４５と、開閉検出部４６と、ＣＰＵ４９とを備える。
【００２１】
通信部４２は、メインアンテナ４０とＲＦ回路部４１とを備え、所定の通信先と通信を行う。通信部４２が通信を行う通信先としては、携帯電話機１と電話やメールの送受信を行う外部の端末装置や、携帯電話機１がインターネットの接続を行う外部のＷｅｂサーバ等の外部装置が挙げられる。
【００２２】
メインアンテナ４０は、所定の使用周波数帯で外部装置と通信を行う。
ＲＦ回路部４１は、メインアンテナ４０によって受信した信号を復調処理し、処理後の信号をＣＰＵ４９に供給する。また、ＲＦ回路部４１は、ＣＰＵ４９から供給された信号を変調処理し、メインアンテナ４０を介して外部装置（基地局）に送信する。
【００２３】
表示制御部４３は、ＣＰＵ４９の制御にしたがって、所定の画像処理を行い、処理後の画像データをドライバＩＣ２３に出力する。ドライバＩＣ２３は、表示制御部４３から供給された画像データをフレームバッファに蓄え、所定のタイミングで表示部２１に出力する。
【００２４】
表示部２１は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）によって構成され、各種情報に基づく画像や動画等を表示する。
スピーカ２２は、ＣＰＵ４９から供給された信号を外部に出力する。
【００２５】
メモリ４４は、例えば、ワーキングメモリを含み、ＣＰＵ４９による演算処理に利用される。また、メモリ４４には、各種データファイル、複数のアプリケーションプログラムや、各種情報等が記憶されている。また、メモリ４４は、着脱可能な外部メモリを兼ねていてもよい。さらに、メモリ４４には、後述する表示更新部４９２により表示部２１に表示される複数の画像データが記憶されている。
【００２６】
指紋センサ４５は、ユーザの指紋を読み取り、読み取った指紋の指紋データを生成する。そして、指紋センサ４５は、生成された指紋データをＣＰＵ４９に送信する。
【００２７】
開閉検出部４６は、操作部側筐体２と表示部側筐体３とが開状態であるか閉状態であるかを検出する。開閉検出部４６は、ホール素子４７と、磁石４８とを備える。
例えば、ホール素子４７は、操作部側筐体２の内部のマイク１２側に配置され、磁石４８は、表示部側筐体３の内部のスピーカ２２側に配置される。
【００２８】
具体的には、操作部側筐体２と表示部側筐体３との位置関係に応じて磁石４８から出力される磁気の強度が変動するため、この磁石４８から出力される磁気の強弱をホール素子４７によって検出する。ＣＰＵ４９（図２参照）は、検出した磁気の強弱に基づいて、携帯電話機１の開状態又は閉状態を判別することにより開状態及び閉状態を検出する。なお、開状態及び閉状態の検出は、ホール素子４７によるものに限られない。
【００２９】
ＣＰＵ４９は、携帯電話機１の全体を制御する。例えば、ＣＰＵ４９は、ＲＦ回路部４１から供給された信号に対して所定の音声処理（例えば、アナログ変換）を行い、処理後の信号をスピーカ２２に出力する。また、ＣＰＵ４９は、マイク１２から入力された信号を処理（例えば、デジタル変換）し、処理後の信号をＲＦ回路部４１に出力する。
【００３０】
また、ＣＰＵ４９は、生体認証部４９１と、表示更新部４９２と、設定部４９３と、制御部４９４と、タイマ部４９５と、カウント部４９６とを備える。
【００３１】
ここで、第１実施形態の携帯電話機１の動作について説明する。
生体認証部４９１は、指紋センサ４５により生成された指紋データに基づいて、生体認証を行う。具体的には、生体認証部４９１は、指紋センサ４５により生成された指紋データと、メモリ４４に予め記憶された指紋データとを比較し、指紋センサ４５により生成された指紋データと、メモリ４４に予め記憶された指紋データとが一致する場合には、指紋センサ４５により指紋を読み取られたユーザの個人認証を行う。個人認証が行われた場合、ＣＰＵ４９は、携帯電話機１のセキュリティ機能（例えば、操作部１１の操作をロックする）を解除する。
【００３２】
一方、生体認証部４９１は、指紋センサ４５により生成された指紋データと、メモリ４４に予め記憶された指紋データとが一致しない場合には、指紋センサ４５により指紋を読み取られたユーザの個人認証を行なわない。個人認証が行われない（個人認証が失敗した）場合には、ＣＰＵ４９は、携帯電話機１のセキュリティ機能を維持する。
【００３３】
表示更新部４９２は、メモリ４４に記憶された複数の画像データの各々に基づく画像を所定の条件に基づいて選択して、選択した画像を表示部２１に順次表示させる。すなわち、表示更新部４９２は、複数の画像を連続的に順次表示するフォトビューア機能を実行する。ここで、所定の条件としては、例えば、メモリ４４に記憶された複数の画像データそれぞれのファイル名の順序、複数の画像データそれぞれがメモリ４４に記憶された日付の古い（新しい）順序、複数の画像データそれぞれの容量の小さい（大きい）順序、又はユーザが任意に定める順序等を用いることができる。
【００３４】
設定部４９３は、表示更新部４９２により表示部２１に表示される各画像データに基づく画像の表示態様を設定する。
制御部４９４は、表示更新部４９２によりメモリ４４に記憶された複数の画像データのうち一の画像データに基づく画像を表示部２１に表示させている際に、生体認証部４９１により生体認証が行われた場合、一の画像データに基づく画像の表示態様を設定部４９３により設定された表示態様に変更する。
【００３５】
このように第１実施形態の携帯電話機１によれば、制御部４９４は、生体認証を用いて表示部２１に表示される画像の表示態様を変更するため、例えば、複数の画像のうち一部の画像が秘匿性を有するような場合に、ユーザの使用状況に応じて適切な画像を表示させることができる。さらに、携帯電話機１は、生体認証を用いて表示態様を変更することにより、例えば、操作部１１を構成するキーの押下により表示態様を変更する場合と比べて、表示態様を変更する動作を簡素化することができるため、携帯電話機１の操作性を向上させることができる。
【００３６】
タイマ部４９５は、ＣＰＵ４９に内蔵されたタイマにより時間の計測を行う。具体的には、タイマ部４９５は、表示更新部４９２により画像データに基づく画像が表示部２１に表示されると、時間の計測を開始し、所定期間Ｔ１の経過後に時間の計測を終了し、制御部４９４に時間の計測が終了したことを通知する。また、タイマ部４９５は、生体認証部４９１により生体認証が行われると、時間の計測を開始し、所定期間Ｔ１の経過後に時間の計測を終了し、制御部４９４に時間の計測が終了したことを通知する。
【００３７】
カウント部４９６は、表示更新部４９２により一の画像データに基づく画像を表示部２１に表示させている際に、所定期間Ｔ１内に生体認証部４９１による生体認証が行われた回数をカウントする。
そして、設定部４９３は、表示態様の設定として、表示部２１に表示されている一の画像データの分類番号（属性）をカウント部４９６によりカウントされた回数に応じた分類番号に設定する。
【００３８】
このように第１実施形態の携帯電話機１によれば、設定部４９３は、表示部２１に表示されている一の画像データの分類番号を生体認証が行われた回数に応じて設定する。ここで、一の画像データの属性は、ユーザの使用状況に応じて任意に設定できるため、携帯電話機１は、ユーザの使用状況に応じて、適切な分類番号の画像データに基づく画像を表示させることができる。さらに、携帯電話機１は、生体認証を用いて画像データの分類番号を設定するため、簡易な操作により画像データの分類番号を設定することができる。
【００３９】
また、制御部４９４は、表示更新部４９２により一の画像データに基づく画像を表示部２１に表示させている際に、生体認証部４９１により生体認証が行われた場合、カウント部４９６により所定期間Ｔ１内に生体認証部４９１による生体認証が行われた回数をカウントさせる。
【００４０】
そして、制御部４９４は、表示態様の変更として、表示部２１に表示されている一の画像データに基づく画像を、設定部４９３により設定された属性がカウント部４９６によりカウントされた回数に応じた分類番号である他の画像データに基づく画像に、表示更新部４９２により切り替えさせる。
【００４１】
このように第１実施形態の携帯電話機１によれば、制御部４９４は、表示部２１に表示されている一の画像データに画像を、生体認証が行われた回数に応じた分類番号の他の画像データに基づく画像に切り替えさせる。このため、携帯電話機１は、生体認証を用いて、ユーザの使用状況に応じて適切な分類番号の画像データに基づく画像を表示させることができる。
【００４２】
図３（ａ）〜（ｄ）は、設定部４９３による表示態様の設定の具体例について示す図である。表示更新部４９２は、フォトビューア機能が起動されていない状態（図３（ａ）参照）からフォトビューア機能を起動すると、複数の画像データのうち一の画像データに基づく画像Ａを表示部２１に表示する。さらに、表示更新部４９２は、表示部２１の右下の領域に表示領域５０及び５１を表示する。表示更新部４９２は、表示領域５０に分類番号（属性）を表示し、表示領域５１にカウントダウンタイマ値を表示する（図３（ｂ）参照）。ここで、図３（ｂ）に示す画像Ａは、分類番号１であるものとする。
【００４３】
表示領域５１に表示されるカウントダウンタイマ値は、画像Ａが表示されてからの経過時間を示す値である。例えば、画像Ａが表示されると同時にカウントダウンタイマ値「３」が表示され、１秒経過するごとに、「３」→「２」→「１」→「０」のようにカウントダウンタイマ値が表示される。
【００４４】
表示領域５１に表示されるカウントダウンタイマ値が「０」になる前に、指紋センサ４５によりユーザの指紋が読み取られ、生体認証部４９１により生体認証が行われると（図３（ｃ）参照）、カウント部４９６は、生体認証が行われた回数をカウントする。例えば、生体認証部４９１により生体認証が２回行われると、カウント部４９６は、生体認証が行われた回数「２」をカウントする。
【００４５】
そして、設定部４９３は、画像Ａの分類番号を、カウント部４９６によりカウントされた回数に応じた分類番号に設定する。例えば、カウント部４９６により生体認証が行われた回数「２」がカウントされた場合には、設定部４９３は、画像Ａの分類番号を、分類番号１から分類番号３に設定する。つまり、設定部４９３は、画像Ａの分類番号を、図３（ｂ）に示す画像Ａの分類番号１にカウント部４９６により生体認証が行われた回数「２」を加算した値（１＋２＝３）である分類３に設定する。そして、表示更新部４９２は、表示部２１の表示領域５２に「分類３に登録しました」の表示を行う（図３（ｄ）参照）。これにより、携帯電話機１は、画像Ａの分類番号が変更されたことをユーザに知らせることができる。
【００４６】
なお、分類番号は、１→２→３→１→２→３・・・の順序で設定されるものとする。例えば、分類番号３の画像を表示している際に、カウント部４９６により生体認証が行われた回数「２」がカウントされた場合には、設定部４９３は、その画像の分類番号を、分類番号３から分類番号２に設定する。
【００４７】
図４（ａ）〜（ｆ）は、表示部２１に表示される画像における表示態様の変更の具体例について示す図である。図４（ａ）〜（ｃ）に示すように、指紋センサ４５により指紋が読み取られない場合には、表示更新部４９２は、表示領域５０に表示される分類番号１の画像データに基づく画像である画像Ａ、画像Ｂ及び画像Ｃを表示部２１に順次表示する。
【００４８】
また、図４（ｄ）〜（ｆ）に示すように、画像の再生開始時に指紋センサ４５により指紋が読み取られ、生体認証部４９１により生体認証が１回行われた場合には、制御部４９４は、表示領域５０に表示される分類番号２の画像データに基づく画像である画像Ｄ、画像Ｅ及び画像Ｆを表示部２１に順次表示する。
【００４９】
また、表示部２１に画像Ｂが表示されている際に（図４（ｂ）参照）、指紋センサ４５により指紋が読み取られ、生体認証部４９１により生体認証が１回行われた場合には、制御部４９４は、表示更新部４９２により、分類番号１の画像データに基づく画像Ｂを分類番号２の画像データに基づく画像Ｄに切り替えて表示させる（図４（ｄ）参照）。
【００５０】
ここで、制御部４９４は、表示更新部４９２により一の画像データに基づく画像を表示部２１に表示させている際に、生体認証部４９１により生体認証が行われた場合、表示態様の変更として、一の画像データに基づく画像と共に、この一の画像データに付加された付加情報（メタデータ）を表示更新部４９２により表示部２１に表示させてもよい。
【００５１】
例えば、ＪＰＥＧ方式に準拠した画像データには、画像データのヘッダに、この画像データのタイトルや、作成者、コメント等の文字情報を付加情報として付加することができる。このような、画像データに付加された付加情報は、表示更新部４９２により画像データに基づく画像を表示させる際に、画像と共に、表示部２１に表示される。
【００５２】
このように第１実施形態の携帯電話機１によれば、制御部４９４は、生体認証を用いて、画像データに基づく画像と共に、画像データに付加された付加情報（例えば、ユーザによって入力された画像データについての、タイトルや、作成者、コメント等）を表示するか否かを切り替えさせることができる。したがって、携帯電話機１は、生体認証を用いて、ユーザの使用状況に応じた適切な画像を表示することができる。
【００５３】
図５（ａ）〜（ｆ）は、表示部２１に表示される画像における表示態様の変更の具体例について示す図である。図５（ａ）〜（ｃ）に示すように、指紋センサ４５により指紋が読み取られない場合には、表示更新部４９２は、表示領域５０に表示される分類番号１の画像データに基づく画像である画像Ａ、画像Ｂ及び画像Ｃを表示部２１に順次表示する。
【００５４】
一方、図５（ｄ）〜（ｆ）に示すように、画像の再生開始時に指紋センサ４５により指紋が読み取られ、生体認証部４９１により生体認証が１回行われた場合には、制御部４９４は、表示領域５０に表示される分類番号１の画像データに基づく画像である画像Ａ、画像Ｂ及び画像Ｃと共に、画像データに付加された付加情報を表示更新部４９２により表示部２１に表示させる。具体的には、図５（ｅ）に示すように、制御部４９４は、表示更新部４９２により、画像Ｂの画像データに付加情報として付加されたコメント「綺麗な写真が撮れました」を表示領域５３に表示させる。
【００５５】
次に、第１実施形態の携帯電話機１の内部処理について図６〜８を参照しながら説明する。図６は、画像データの属性を分類する画像分類処理について示すフローチャートである。
【００５６】
ステップＳ１において、ＣＰＵ４９は、操作部１１によるフォトビューア機能を起動して画像を表示する操作を検出する。
ステップＳ２において、表示更新部４９２は、フォトビューア機能を起動して、メモリ４４に記憶される複数の画像データの各々に基づく画像を所定の条件に基づいて選択し、選択した画像を表示部２１に表示させる。また、表示更新部４９２は、選択した画像と共に、表示部２１の表示領域５０に分類番号を表示させる。
【００５７】
ステップＳ３において、タイマ部４９５は、時間の計測を開始する。このとき、表示更新部４９２は、タイマ部４９５により計測された時間に基づいて、表示部２１の表示領域５１にカウントダウンタイマ値を表示する。
ステップＳ４において、ＣＰＵ４９は、指紋センサ４５を起動させる。
【００５８】
ステップＳ５において、ＣＰＵ４９は、ステップＳ３においてタイマ部４９５による時間の計測を開始してから所定期間Ｔ１内に生体認証部４９１により指紋認証が行われることにより、ユーザの個人認証が行われたか否かを判定する。指紋認証が行われることにより、ユーザの個人認証が行われた場合（Ｙｅｓ）には、ステップＳ７へ移る。一方、指紋認証が行われない、又は指紋認証が行われたが、ユーザの個人認証が行われなかった場合（Ｎｏ）には、ステップＳ６へ移る。
【００５９】
ステップＳ６において、表示更新部４９２は、タイマ部４９５により計測された時間に基づいて、表示領域５１のカウントダウンタイマ値の表示を更新する。例えば、ステップＳ３において時間の計測が開始されたときのカウントダウンタイマ値が「３」であり、ステップＳ６の時点でタイマ部４９５により計測された時間がステップＳ３において時間の計測が開始されてから１秒後である場合には、カウントダウンタイマ値を「３」から「２」に更新する。
【００６０】
ステップＳ７において、カウント部４９６は、生体認証が行われた回数のカウントを１加算する。例えば、生体認証が行われた回数が１回であった場合には、カウントを１加算して、生体認証が行われた回数を２回にカウントする。
【００６１】
ステップＳ８において、制御部４９４は、ステップＳ３においてタイマ部４９５により時間の計測を開始してから所定期間Ｔ１が経過するとタイマ部４９５による時間の計測を終了する。
【００６２】
ステップＳ９において、設定部４９３は、ステップＳ２において表示更新部４９２により表示部２１に表示させた一の画像データのヘッダに分類番号を書き込む。例えば、設定部４９３は、一の画像データが分類１であり、カウント部４９６によりカウントされた回数が２回である場合には、一の画像データの分類番号を分類３として、一の画像データのヘッダに分類３を書き込む。
【００６３】
ステップＳ１０において、設定部４９３は、ヘッダに分類を書き込んだ一の画像データをメモリ４４に保存する。
ステップＳ１１において、表示更新部４９２は、次に表示する画像データが存在するか否かを判定する。次に表示する画像データが存在する場合（Ｙｅｓ）には、ステップＳ１へ戻る。一方、次に表示する画像データが存在しない場合（Ｎｏ）には、処理を終了する。
【００６４】
図７は、画像データを再生する画像再生処理について示すフローチャートである。なお、ステップＳ２１〜ステップＳ２８の処理は、上述した図６におけるステップＳ１〜ステップＳ８の処理と同様の処理であるため、説明を省略する。
【００６５】
ステップＳ２９において、制御部４９４は、ステップＳ２２において表示更新部４９２により表示部２１に表示させた一の画像データのヘッダを参照して、分類番号を取得する。そして、制御部４９４は、カウント部４９６によりカウントされた回数と取得した分類番号とが一致するか否かを判定する。カウントされた回数と取得した分類番号とが一致する場合（Ｙｅｓ）には、ステップＳ３０へ移る。一方、カウントされた回数と取得した分類番号とが一致しない場合（Ｎｏ）には、ステップＳ３１へ移る。
【００６６】
ステップＳ３０において、制御部４９４は、ステップＳ２２において表示更新部４９２により表示部２１に表示されている一の画像データに基づく画像を、設定部４９３により設定された分類番号がカウント部４９６によりカウントされた回数に応じた分類番号である他の画像データに基づく画像に、表示更新部４９２により切り替えさせる。そして、制御部４９４は、表示更新部４９２により画像を切り替えた後に、ステップＳ２３へ戻る。
【００６７】
ステップＳ３１において、表示更新部４９２は、メモリ４４に次に表示する画像データが存在するか否かを判定する。次に表示する画像データが存在する場合（Ｙｅｓ）には、ステップＳ２９へ移る。一方、次に表示する画像データが存在しない場合（Ｎｏ）には、処理を終了する。
【００６８】
図８は、付加情報が付加された画像データを再生する画像再生処理について示すフローチャートである。
ステップＳ４１において、ＣＰＵ４９は、操作部１１によるフォトビューア機能を起動して画像を表示する操作を検出する。
ステップＳ４２において、表示更新部４９２は、フォトビューア機能を起動して、メモリ４４に記憶される複数の画像データのうち一の画像データを所定の条件に基づいて選択し、選択された一の画像データを表示部２１に表示させる。
【００６９】
ステップＳ４３において、タイマ部４９５は、時間の計測を開始する。
ステップＳ４４において、ＣＰＵ４９は、指紋センサ４５を起動させる。
ステップＳ４５において、制御部４９４は、ステップＳ４３においてタイマ部４９５による時間の計測を開始してから所定期間Ｔ１内に生体認証部４９１により指紋認証が行われることにより、ユーザの個人認証が行われたか否かを判定する。指紋認証が行われることにより、ユーザの個人認証が行われた場合（Ｙｅｓ）には、ステップＳ４８へ移る。一方、指紋認証が行われない、又は指紋認証が行われたが、ユーザの個人認証が行われなかった場合（Ｎｏ）には、ステップＳ４６へ移る。
【００７０】
ステップＳ４６において、表示更新部４９２は、タイマ部４９５により計測された時間に基づいて、表示領域５１のカウントダウンタイマ値の表示を更新する。
ステップＳ４７において、制御部４９４は、ステップＳ３においてタイマ部４９５により時間の計測を開始してから所定期間Ｔ１が経過するとタイマ部４９５による時間の計測を終了する。
【００７１】
ステップＳ４８において、制御部４９４は、ステップＳ４２において表示更新部４９２により表示されている一の画像データに付加情報として文字情報が付加されているか否かを判定する。文字情報が付加されている場合（Ｙｅｓ）には、ステップＳ４９へ移る。一方、文字情報が付加されていない場合（Ｎｏ）には、ステップＳ４６へ戻る。
【００７２】
ステップＳ４９において、制御部４９４は、一の画像データに付加された文字情報を表示更新部４９２により表示部２１に表示させる。そして、制御部４９４は、文字情報を表示更新部４９２により表示部２１に表示させた後、ステップＳ５０へ移る。
ステップＳ５０において、表示更新部４９２は、メモリ４４に次に表示する画像データが存在するか否かを判定する。次に表示する画像データが存在する場合（Ｙｅｓ）には、ステップＳ４２へ戻る。一方、次に表示する画像データが存在しない場合（Ｎｏ）には、処理を終了する。
【００７３】
このように第１実施形態の携帯電話機１によれば、制御部４９４は、生体認証を用いて表示部２１に表示される画像の表示態様を変更するため、例えば、複数の画像のうち一部の画像が秘匿性を有するような場合に、ユーザの使用状況に応じて適切な画像を表示させることができる。
【００７４】
＜第２実施形態＞
次に、本発明の携帯電話機１の第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【００７５】
第２実施形態の携帯電話機１は、複数の画像データのうち一の画像データに基づく画像を待ち受け画面（初期画面）として表示部２１に表示させる点が第１実施形態とは主として異なる。
【００７６】
第２実施形態の携帯電話機１は、第１実施形態と同様に、操作部１１と、マイク１２と、表示部２１と、スピーカ２２と、ドライバＩＣ２３と、通信部４２と、表示制御部４３と、メモリ４４と、指紋センサ４５と、開閉検出部４６と、ＣＰＵ４９とを備える（図２参照）。
【００７７】
また、第２実施形態のＣＰＵ４９は、生体認証部４９１と、表示更新部４９２と、設定部４９３と、制御部４９４と、カウント部４９６とを備える（図２参照）。
【００７８】
表示更新部４９２は、メモリ４４に記憶された複数の画像データのうち一の画像データを所定の条件に基づいて選択して、この一の画像データに基づく画像を初期画面として表示部２１に表示させる。
【００７９】
設定部４９３は、複数の画像データそれぞれの属性を設定する。
制御部４９４は、表示更新部４９２により初期画面として一の画像データに基づく画像を表示部２１に表示している際に、生体認証部４９１により生体認証が行われた場合、一の画像データに基づく画像を設定部４９３により一の画像データとは異なる属性に設定された他の画像データに基づく画像に切り替える。
【００８０】
このように第２実施形態の携帯電話機１によれば、制御部４９４は、生体認証を用いて待ち受け画面に表示される画像を切り替える。このため、携帯電話機１は、例えば、待ち受け画面として表示部２１に表示されている画像を、秘匿性を有する画像から秘匿性のない画像に切り替えることができる。したがって、携帯電話機１は、ユーザの使用状況に応じて適切な画像を表示させることができる。
【００８１】
さらに、携帯電話機１は、生体認証を用いて待ち受け画面の画像を切り替えることにより、例えば、操作部１１を構成するキーの押下により待ち受け画面の画像を切り替える場合と比べて、待ち受け画面の画像を切り替える動作を簡素化することができるため、携帯電話機１の操作性を向上させることができる。
【００８２】
また、設定部４９３は、待ち受け画面として表示部２１に表示される複数の画像データそれぞれの分類番号（属性）を生体認証部４９１による生体認証を用いて予め設定する。
具体的には、設定部４９３は、複数の画像データそれぞれの分類番号をカウント部４９６によりカウントされた回数に応じた分類番号に設定する。また、設定部４９３は、複数の画像データそれぞれの分類番号を、入力操作キー１４を構成する各数字キーと対応させて設定してもよい。例えば、設定部４９３は、一の画像データの分類番号が「３」である場合、この分類番号３を、入力操作キー１４を構成する数字「３」のキーと対応させて設定する。そして、これらの設定は、制御部４９４により画像データのヘッダに書き込まれる。
【００８３】
このように第２実施形態の携帯電話機１によれば、設定部４９３は、生体認証を用いて、表示部２１に表示される複数の画像データそれぞれの分類番号を設定する。ここで、複数の画像データそれぞれの分類番号は、ユーザの使用状況に応じて任意に設定できるため、携帯電話機１は、ユーザの使用状況に応じて、適切な属性の画像データに基づく画像を待ち受け画面として表示させることができる。さらに、携帯電話機１は、生体認証を用いて画像データの分類番号を設定するため、簡易な操作により画像データの属性を設定することができる。
【００８４】
また、制御部４９４は、表示更新部４９２により一の画像データに基づく画像を他の画像データに基づく画像に切り替えた後に、さらに、生体認証部４９１により生体認証が行われた場合、表示更新部４９２により他の画像データに基づく画像を一の画像データに基づく画像に切り替える。
【００８５】
このように第２実施形態の携帯電話機１によれば、例えば、待ち受け画面として表示部２１に表示されている画像を、一旦、秘匿性を有する画像から秘匿性のない画像に切り替えた後に、再度、秘匿性のない画像から秘匿性を有する画像に切り替えることができる。
【００８６】
また、制御部４９４は、表示更新部４９２により待ち受け画面として一の画像データに基づく画像を表示部２１に表示している際に、生体認証部４９１により生体認証が行われると共に、操作部１１により所定の操作が行われた場合、一の画像データに基づく画像を、設定部４９３により設定された属性が所定の操作に応じた分類番号となっている他の画像データに基づく画像に切り替えさせてもよい。
【００８７】
このように第２実施形態の携帯電話機１によれば、制御部４９４は、待ち受け画面として表示部２１に表示されている一の画像データに基づく画像を、生体認証が行われた回数に応じた分類番号となっている他の画像データに基づく画像に切り替える。このため、携帯電話機１は、生体認証を用いて、ユーザの使用状況に応じて適切な分類番号の画像データに基づく画像を待ち受け画面として表示させることができる。
【００８８】
図９（ａ）〜（ｆ）は、待ち受け画面の画像を画像Ｘから画像Ｙに切り替える処理の具体例について示す図である。ここで、画像Ｘの画像データは、設定部４９３により分類１に設定され、画像Ｙの画像データは、設定部４９３により分類２に設定されているものとする。
【００８９】
携帯電話機１を閉状態から開状態に遷移させると、表示更新部４９２は、待ち受け画面として表示部２１に複数の画像データのうち一の画像データに基づく画像Ｘを表示させる（図９（ａ）及び（ｂ）参照）。
【００９０】
そして、制御部４９４は、表示更新部４９２により初期画面として、分類番号１に設定された一の画像データに基づく画像Ｘを表示部２１に表示している際に、所定期間Ｔ１内に生体認証部４９１により生体認証が行われた場合（図９（ｃ）参照）、画像Ｘを設定部４９３により一の画像データとは異なる分類番号である分類番号２に設定された他の画像データに基づく画像Ｙに切り替える（図９（ｄ）参照）。
【００９１】
また、制御部４９４は、表示更新部４９２により初期画面として、分類番号２に設定された他の画像データに基づく画像Ｙを表示部２１に表示している際に、所定期間Ｔ１内に生体認証部４９１により生体認証が行われた場合（図９（ｅ）参照）、画像Ｙを設定部４９３により他の画像データとは異なる分類番号である分類番号１に設定された一の画像データに基づく画像Ｘに切り替える（図９（ｆ）参照）。
【００９２】
図１０（ａ）〜（ｆ）は、生体認証部４９１による生体認証と共に、操作部１１による操作を用いて、待ち受け画面の画像を画像Ｘから画像Ｚに切り替える処理の具体例について示す図である。ここで、画像Ｘは、設定部４９３により分類番号１に設定されており、画像Ｚは、設定部４９３により分類番号３に設定されているものとする。
【００９３】
携帯電話機１を閉状態から開状態に遷移させると、表示更新部４９２は、待ち受け画面として表示部２１に複数の画像データのうち一の画像データに基づく画像Ｘを表示させる（図１０（ａ）及び（ｂ）参照）。
そして、制御部４９４は、表示更新部４９２により初期画面として、分類番号１に設定された一の画像データに基づく画像Ｘを表示部２１に表示している際に、所定期間Ｔ１内に生体認証部４９１により生体認証が行わると共に、操作部１１を構成する入力操作キー１４の数字「３」のキーが押下された場合（図１０（ｃ）参照）、画像Ｘを、設定部４９３により設定された属性が入力操作キー１４の数字「３」のキーに応じた属性、つまり分類番号３となっている他の画像データに基づく画像Ｚに表示更新部４９２により切り替えさせる（図１０（ｄ）参照）。
【００９４】
また、制御部４９４は、表示更新部４９２により初期画面として、分類番号３に設定された他の画像データに基づく画像Ｚを表示部２１に表示している際に、所定期間Ｔ１内に生体認証部４９１により生体認証が行われた場合（図１０（ｅ）参照）、画像Ｚを設定部４９３により他の画像データとは異なる属性である分類１に設定された一の画像データに基づく画像Ｘに切り替える（図１０（ｆ）参照）。
【００９５】
次に、第２実施形態の携帯電話機１の処理について図１１及び図１２を参照しながら説明する。図１１は、第２実施形態の携帯電話機１による画像再生処理について説明するフローチャートである。
ステップＳ６１において、開閉検出部４６は、操作部側筐体２と表示部側筐体３とが閉状態であることを検出し、操作部側筐体２と表示部側筐体３とが閉状態であることを表示更新部４９２に通知する。
【００９６】
ステップＳ６２において、表示更新部４９２は、メモリ４４に記憶される複数の画像データのうち、待ち受け画面として表示部２１に表示する一の画像データをドライバＩＣ２３のフレームバッファに書き出す。
ステップＳ６３において、開閉検出部４６は、操作部側筐体２と表示部側筐体３とが開状態であることを検出し、操作部側筐体２と表示部側筐体３とが開状態であることを表示更新部４９２に通知する。
【００９７】
ステップＳ６４において、表示更新部４９２は、待ち受け画面として一の画像データに基づく画像Ｘを表示部２１に表示する。
ステップＳ６５において、タイマ部４９５は、時間の計測を開始する。
ステップＳ６６において、制御部４９４は、指紋センサ４５を起動させる。
【００９８】
ステップＳ６７において、制御部４９４は、タイマ部４９５により時間の計測を開始してから所定期間Ｔ１が経過したか否か判定する。所定期間Ｔ１が経過した場合（Ｙｅｓ）には、ステップＳ６８へ移る。一方、所定期間Ｔ１が経過していない場合（Ｎｏ）には、ステップＳ６９へ移る。
ステップＳ６８において、制御部４９４は、指紋センサ４５を停止させ、処理を終了する。
【００９９】
ステップＳ６９において、指紋センサ４５は、指紋を読み取り、読み取った指紋の指紋データを生成する。
ステップＳ７０において、生体認証部４９１は、指紋センサ４５により生成された指紋データと、メモリ４４に記憶された指紋データとが一致するか否か判定する。指紋データが一致する場合（Ｙｅｓ）には、ステップＳ７１へ移る。一方、指紋データが一致しない場合（Ｎｏ）には、ステップＳ６７へ戻る。
【０１００】
ステップＳ７１において、タイマ部４９５は、時間の計測を終了する。
ステップＳ７２において、表示更新部４９２は、メモリ４４に記憶される複数の画像データのうち、待ち受け画面として表示部２１に表示する他の画像データをドライバＩＣ２３のフレームバッファに書き出す。
【０１０１】
ステップＳ７３において、制御部４９４は、表示更新部４９２により、一の画像データに基づく画像Ｘを他の画像データに基づく画像Ｙに切り替えて、表示部２１に表示させる。
ステップＳ７４において、指紋センサ４５は、指紋を読み取り、読み取った指紋の指紋データを生成する。
【０１０２】
ステップＳ７５において、生体認証部４９１は、指紋センサ４５により生成された指紋データと、メモリ４４に記憶された指紋データとが一致するか否か判定する。指紋データが一致する場合（Ｙｅｓ）には、ステップＳ７６へ移る。一方、指紋データが一致しない場合（Ｎｏ）には、ステップＳ７８へ移る。
【０１０３】
ステップＳ７６において、表示更新部４９２は、メモリ４４に記憶される複数の画像データのうち、待ち受け画面として表示部２１に表示する一の画像データをドライバＩＣ２３のフレームバッファに書き出す。
ステップＳ７７において、制御部４９４は、表示更新部４９２により、他の画像データに基づく画像Ｙを一の画像データに基づく画像Ｘに切り替えて、表示部２１に表示させる。
【０１０４】
ステップＳ７８において、ＣＰＵ４９は、開閉検出部４６により操作部側筐体２と表示部側筐体３とが閉状態であることが検出されたか否かを判定する。閉状態であることが検出された場合（Ｙｅｓ）には、ステップＳ６１へ戻る。一方、開状態であることが検出された場合（Ｎｏ）には、処理を終了する。
【０１０５】
図１２は、第２実施形態の携帯電話機１による画像再生処理について説明するフローチャートである。なお、ステップＳ８１〜ステップＳ９１の処理は、上述した図１１におけるステップＳ６１〜ステップＳ７１の処理と同様の処理であるため、説明を省略する。
【０１０６】
ステップＳ９２において、生体認証部４９１は、操作部１１のロックを解除する。
ステップＳ９３において、ＣＰＵ４９は、操作部１１を構成する入力操作キー１４が押下を検出したか否かを判定する。入力操作キー１４の押下を検出した場合（Ｙｅｓ）には、ステップＳ９４へ移る。一方、入力操作キー１４の押下を検出されない場合（Ｎｏ）には、ステップＳ９６へ移る。
【０１０７】
ステップＳ９４において、表示更新部４９２は、入力操作キー１４の数字キーに対応する分類番号の他の画像データをフレームバッファに書き出す。
ステップＳ９５において、表示更新部４９２により、一の画像データに基づく画像Ｘを他の画像データに基づく画像Ｚに切り替えて、表示部２１に表示させる。
【０１０８】
ステップＳ９６において、ＣＰＵ４９は、開閉検出部４６により操作部側筐体２と表示部側筐体３とが閉状態であることが検出されたか否かを判定する。閉状態であることが検出された場合（Ｙｅｓ）には、ステップＳ９７へ移る。一方、開状態であることが検出された場合（Ｎｏ）には、処理を終了する。
【０１０９】
ステップＳ９７において、生体認証部４９１は、操作部１１をロックして、ステップＳ８１へ戻る。このように第２実施形態の携帯電話機１によれば、制御部４９４は、生体認証を用いて待ち受け画面に表示される画像を切り替える。このため、携帯電話機１は、例えば、待ち受け画面として表示部２１に表示されている画像を、秘匿性を有する画像から秘匿性のない画像に切り替えることができる。したがって、携帯電話機１は、ユーザの使用状況に応じて適切な画像を表示させることができる。
【０１１０】
以上、本発明の実施形態について説明したが、本発明は上述した実施形態に制限されるものではなく、適宜変更が可能である。例えば、設定部４９３により設定できる分類番号の数は、上述した分類番号の数に限られない。
【０１１１】
また、上述した実施形態において、電子機器としての携帯電話機１について説明したが、これに限定されず、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【０１１２】
１  携帯電話機（電子機器）
１１  操作部
４９  ＣＰＵ
４９１  生体認証部
４９２  表示更新部
４９３  設定部
４９４  制御部
４９５  カウント部
【図１】
2011114611.tif 000003
【図２】
2011114611.tif 000004
【図３】
2011114611.tif 000005
【図４】
2011114611.tif 000006
【図５】
2011114611.tif 000007
【図６】
2011114611.tif 000008
【図７】
2011114611.tif 000009
【図８】
2011114611.tif 000010
【図９】
2011114611.tif 000011
【図１０】
2011114611.tif 000012
【図１１】
2011114611.tif 000013
【図１２】
2011114611.tif 000014